(57)【要約】ショート・メッセージ・サービス（ＳＭＳ）のメッセージを、音声サービスとデータ・サービスの双方を提供することのできるネットワーク内でデータ・モードにある二重モード移動端末に配信する通信システムおよび方法が開示される。データ・セッションの間にＳＭＳメッセージを受信するために、ＳＭＳメッセージは、インターネット・プロトコル（ＩＰ）パケットへとカプセル化され、電子メール（ｅメール）メッセージとして移動端末へと経路付けられる。１つの実施例において、ＳＭＳメッセージが移動端末を受け持つ移動通信交換局（ＭＳＣ）で受信されるとき、ＭＳＣは、移動端末がデータ・モードにあるか否かを判定する。そうであるならば、ＭＳＣはＳＭＳメッセージをｅメール・メッセージに変換して、そのｅメール・メッセージを、移動端末を受け持つパケット・データ・サービス・ノード（ＰＤＳＮ）を介して移動端末へと経路付けする。代わりの実施例において、ＭＳＣは、ＳＭＳメッセージを、移動端末を受け持つ基地局コントローラ（ＢＳＣ）へと経路付けする。ＢＳＣは、ＳＭＳメッセージをｅメール・メッセージに翻訳して、そのｅメール・メッセージを移動端末に送信する。
2005520368.tif 000002
【特許請求の範囲】
【請求項１】
音声キャリアでの音声サービスとデータ専用キャリアでのデータ・サービスの双方を提供することのできるネットワーク内でショート・メッセージ・サービス（ＳＭＳ）のメッセージを配信する通信システムであって、
音声サービスとデータ・サービスの双方を支援する移動局（ＭＳ）であって、前記データ専用キャリアでのデータ・セッションに現在関係している前記ＭＳと、
前記ＳＭＳメッセージを受信し、前記ＳＭＳメッセージをインターネット・プロトコル（ＩＰ）パケットへとカプセル化し、かつ前記ＳＭＳメッセージを、前記データ・セッションを中断することなく、前記データ専用キャリアで電子メール・メッセージとして前記ＭＳへと経路付ける、前記ＭＳとの無線通信におけるノードと
を備える通信システム。
【請求項２】
前記ＳＭＳメッセージを前記ＩＰパケットへとカプセル化するに先立って、前記ＭＳが前記データ・セッションに関係しているか否かをチェックするよう前記ノードが更に動作し、前記ＭＳが前記データ・セッションに関係していないとき、前記ノードが前記ＭＳに前記ＳＭＳメッセージを送信する請求項１に記載の通信システム。
【請求項３】
前記ＭＳは、前記ノードにフィーチャー・コードを送信して、前記データ・セッションが始まるとき前記ＭＳがデータ・モードにあることを指示し、前記ノードが前記フィーチャー・コードを受信したときのみ、前記ノードが、前記ＳＭＳメッセージを前記ＩＰパケットへとカプセル化する請求項２に記載の通信システム。
【請求項４】
前記ノードが移動通信交換局である請求項３に記載の通信システム。
【請求項５】
前記フィーチャー・コードは、前記移動通信交換局と関連するビジター・ロケーション・レジスタ内に蓄積される請求項４に記載の通信システム。
【請求項６】
前記データ・セッションのための前記ＭＳとの無線通信におけるパケット・データ・サービス・ノードであって、前記移動通信交換局が、前記電子メッセージを前記パケット・データ・サービス・ノードへと経路付けして、前記電子メール・メッセージを前記ＭＳへと配信するパケット・データ・サービス・ノードを更に備える請求項４に記載の通信システム。
【請求項７】
前記ノードは基地局コントローラである請求項３に記載の通信システム。
【請求項８】
前記データ・セッションのための前記ＭＳとの無線通信におけるパケット・データ・サービス・ノードであって、前記基地局コントローラが、前記電子メッセージを前記パケット・データ・サービス・ノードへと経路付けして、前記電子メール・メッセージを前記ＭＳへと配信するパケット・データ・サービス・ノードを更に備える請求項７に記載の通信システム。
【請求項９】
前記基地局コントローラがパケット・コントロール・ファンクションを有していて、前記データ・セッションのための前記ＭＳと関連する経路付け情報を判定し、前記基地局コントローラが、前記経路付け情報を用いて前記電子メール・メッセージを前記ＭＳに配信する請求項７に記載の通信システム。
【請求項１０】
前記ＳＭＳメッセージを前記ノードへと経路付けるショート・メッセージ通信局を更に備える請求項１に記載の通信システム。
【請求項１１】
前記ノードは、受信された指示子で前記電子メール・メッセージにタグを付け、前記受信された指示子は、前記ＭＳが前記電子メール・メッセージを開くとき前記ノードへの応答メッセージを生成し、前記ノードは、前記応答メッセージを受信すると、配信通知メッセージを前記ショート・メッセージ通信局へと送信する請求項１０に記載の通信システム。
【請求項１２】
前記電子メール・メッセージは、前記ＭＳの電子メール・アドレスを用いて前記ＭＳへと経路付けされる請求項１に記載の通信システム。
【請求項１３】
前記電子メール・アドレスには、前記ＭＳのインターネット・サービス・プロバイダでの前記ＭＳの国際移動加入者識別番号が含まれている請求項１２に記載の通信システム。
【請求項１４】
前記ネットワークは符号分割多重アクセス２０００ネットワークである請求項１に記載の通信システム。
【請求項１５】
ショート・メッセージ・サービス（ＳＭＳ）のメッセージを、音声サービスとデータ・サービスの双方を支援する移動局（ＭＳ）に配信する移動通信交換局であって、
前記ＭＳがデータ専用キャリアでのデータ・セッションに現在関係しているか否かを判定する手段と、
前記ＳＭＳメッセージをインターネット・プロトコル（ＩＰ）パケットへとカプセル化して、前記ＭＳが前記データ・セッションに関係しているとき前記ＳＭＳメッセージを電子メール・メッセージとして前記データ専用キャリアで前記ＭＳに経路付けする変換ロジックと
を備える移動通信交換局。
【請求項１６】
前記判定手段は、前記ＭＳが前記データ・セッションに関係していることを指示するフィーチャー・コードを備え、前記フィーチャー・コードは、前記データ・セッションの始めに前記ＭＳによって送信される請求項１５に記載の移動通信交換局。
【請求項１７】
前記フィーチャー・コードは、前記移動通信交換局と関連するビジター・ロケーション・レジスタに蓄積される請求項１６に記載の移動通信交換局。
【請求項１８】
前記ＳＭＳメッセージをショート・メッセージ通信局から受信する手段を更に備える請求項１５に記載の移動通信交換局。
【請求項１９】
前記変換ロジックは、受信された指示子で前記電子メール・メッセージにタグを付け、前記受信された指示子は、前記ＭＳが前記電子メール・メッセージを開くとき、前記移動通信交換局への応答メッセージを生成する請求項１８に記載の移動通信交換局。
【請求項２０】
前記応答メッセージを受信すると前記ショート・メッセージ通信局に配信通知メッセージを送信する手段を更に備える請求項１９に記載の移動通信交換局。
【請求項２１】
前記変換ロジックは、前記ＭＳの電子メール・アドレスを用いて、前記電子メール・メッセージを前記ＭＳへと経路付ける請求項１５に記載の移動通信交換局。
【請求項２２】
前記電子メール・アドレスには、前記ＭＳのインターネット・サービス・プロバイダでの前記ＭＳの国際移動加入者識別番号が含まれている請求項２１に記載の移動通信交換局。
【請求項２３】
音声サービスとデータ・サービスの双方を支援する移動局（ＭＳ）にショート・メッセージ・サービス（ＳＭＳ）のメッセージを配信する基地局コントローラであって、
データ専用キャリアでのデータ・セッションに前記ＭＳが現在関係しているか否かを判定する手段と、
前記ＳＭＳメッセージをインターネット・プロトコル（ＩＰ）パケットへとカプセル化して、前記ＭＳが前記データ・セッションに関係しているとき、前記ＳＭＳメッセージを電子メール・メッセージとして前記データ専用キャリアで前記ＭＳへと経路付けする変換ロジックと
を備える基地局コントローラ。
【請求項２４】
前記判定手段が、前記ＭＳが前記データ・セッションに関係していることを指示するフィーチャー・コードを備え、前記フィーチャー・コードは、前記データ・セッションの始めに前記ＭＳによって送信される請求項２３に記載の基地局コントローラ。
【請求項２５】
前記データ・セッションのための前記ＭＳと関連する経路付け情報を判定するパケット・コントロール・ファンクションであって、前記電子メール・メッセージが前記経路付け情報を用いて前記ＭＳに配信されるパケット・コントロール・ファンクションを更に備える請求項２３に記載の基地局コントローラ。
【請求項２６】
ショート・メッセージ通信局から前記ＳＭＳメッセージを受信する手段を更に備える請求項２３に記載の基地局コントローラ。
【請求項２７】
前記変換ロジックが受信される指示子で前記電子メール・メッセージにタグを付け、前記受信される指示子は、前記ＭＳが前記電子メール・メッセージを開くとき前記基地局コントローラへの応答メッセージを生成する請求項２６に記載の基地局コントローラ。
【請求項２８】
前記応答メッセージを受信すると前記ショート・メッセージ通信局に配信通知メッセージを送信する手段を更に備える請求項２７に記載の基地局コントローラ。
【請求項２９】
前記変換ロジックは、前記ＭＳの電子メール・アドレスを用いて前記電子メール・メッセージを前記ＭＳへと経路付けする請求項２３に記載の基地局コントローラ。
【請求項３０】
前記電子メール・アドレスには、前記ＭＳのインターネット・サービス・プロバイダでの前記ＭＳの国際移動加入者識別番号が含まれている請求項２９に記載の基地局コントローラ。
【請求項３１】
音声キャリアでの音声サービスとデータ専用キャリアでのデータ・サービスの双方を提供することのできるネットワーク内でショート・メッセージ・サービス（ＳＭＳ）のメッセージを配信する方法であって、
音声サービスとデータ・サービスの双方を支援する移動局（ＭＳ）との無線通信におけるノードで前記ＳＭＳメッセージを受信し、
前記データ専用キャリアでのデータ・セッションに前記ＭＳが現在関係しているか否かを判定し、
そうでないならば、前記音声キャリアを介して前記ＳＭＳメッセージを前記ＭＳに経路付けし、かつ
そうであるならば、
前記ＳＭＳメッセージをインターネット・プロトコル（ＩＰ）パケットへとカプセル化し、および
前記データ・セッションを中断することなく、前記ＳＭＳメッセージを電子メール・メッセージとして前記ＭＳへと経路付けする
ステップを備える方法。
【請求項３２】
前記判定するステップが更に、
前記データ・セッションが始まるときに前記ＭＳがデータ・モードにあることを指示するフィーチャー・コードを前記ＭＳから前記ノードに送信するステップを備える請求項３１に記載の方法。
【請求項３３】
前記ノードが移動通信交換局であって、更に、
前記移動通信交換局と関連するビジター・ロケーション・レジスタ内に前記フィーチャー・コードを蓄積するステップを備える請求項３２に記載の方法。
【請求項３４】
前記経路付けのステップが更に、
前記電子メッセージを、前記移動通信交換局から、前記データ・セッションのための前記ＭＳとの無線通信におけるパケット・データ・サービス・ノードへと経路付けし、
前記電子メール・メッセージを前記パケット・データ・サービス・ノードから前記ＭＳへと配信する
ステップを備える請求項３３に記載の方法。
【請求項３５】
前記ノードが基地局コントローラであって、かつ前記経路付けるステップが更に、
前記電子メッセージを、前記基地局コントローラから、前記データ・セッションのための前記ＭＳとの無線通信におけるパケット・データ・サービス・ノードへと経路付けし、
前記電子メール・メッセージを前記パケット・データ・サービス・ノードから前記ＭＳへと配信する
ステップを備える請求項３１に記載の方法。
【請求項３６】
前記ノードが基地局コントローラであって、かつ前記経路付けるステップが更に、
前記基地局コントローラによって、前記データ・セッションのための前記ＭＳと関連する経路付け情報を判定し、
前記経路付け情報を用いて、前記電子メール・メッセージを前記基地局コントローラから前記ＭＳへと配信する
ステップを備える請求項３１に記載の方法。
【請求項３７】
前記受信ステップが更に、
前記ＳＭＳメッセージをショート・メッセージ通信局から受信するステップを備える請求項３１に記載の方法。
【請求項３８】
受信された指示子で前記電子メール・メッセージにタグを付け、
前記受信された指示子によって、前記ＭＳが前記電子メール・メッセージを開くとき、前記ノードへの応答メッセージを生成し、および
前記応答メッセージを受信すると配信通知メッセージを前記ノードから前記ショート・メッセージ通信局に送信する
ステップを更に備える請求項３７に記載の方法。
【請求項３９】
前記経路付けのステップが更に、
前記ＭＳの電子メール・アドレスを用いて前記電子メール・メッセージを前記ＭＳへと経路付けるステップを備える請求項３１に記載の方法。
【発明の詳細な説明】
【技術分野】
【０００１】
（本発明の背景）
（発明の分野）
本発明は、一般には、音声サービスおよびデータ・サービスを実現する通信ネットワークに関し、特には、データ・モードにおける二重モード移動端末へのショート・メッセージ・サービスのメッセージの経路付けに関する。
【背景技術】
【０００２】
（関連技術の説明）
符号分割多重アクセス２０００（ＣＤＭＡ２０００）ネットワークは、データ・サービスのみを使用し、これ以降アクセス端末（ＡＴ）として言及するデータ専用（ＤＯ）移動端末と、データ・サービスと音声サービスの双方を使用し、これ以降移動局（ＭＳ）として言及する二重モード移動端末の双方を支援する。ＣＤＭＡ２０００ネットワークには、データ・パケットを送受信するデータ専用キャリアと、音声を送受信する音声専用キャリアとが含まれている。データ・キャリアは、１４４ｋｂｐｓを超えるパケット・データ速度を支援する、オーバーレイされたパケット・データ・ネットワークの一部である。
【０００３】
初期化に際して、ＭＳは、データ・キャリアと音声キャリアの双方に向けて認証を行わなければならない。しかしながら、音声サービスが用いられないならば、ＭＳはデータ・キャリアのみに接続する。後になってＭＳが音声サービスを必要とするならば、データ・キャリアと音声キャリアとの間でハンドオフが行われる。
【０００４】
ＭＳがデータ・キャリアに接続される間、音声に関する種々のサービスがＭＳでは利用できない。例えば、ユーザーが短いテキスト・メッセージ（例えば、最大１６０の英数字）を送受信できるようにするショート・メッセージ・サービス（ＳＭＳ）は、データ・キャリアに接続されるＭＳでは現在利用できない。したがって、データ・キャリアでのデータ・セッションの間にＭＳがＳＭＳメッセージを受信すると、ＭＳは、そのデータ・セッションを放棄して、そのＳＭＳメッセージを受信するためにＣＤＭＡ２０００ネットワーク内の音声キャリアに接続しなければならない。
【０００５】
現在のアーキテクチャにおいては、音声キャリアは、「クイックページ」メッセージをＭＳに送信して、ＭＳが音声ＣＤＭＡ２０００ネットワークにおいて応答するページを有していることを指示する。その後、ＭＳは、データ・セッションを切断し、音声キャリアに接続し、そしてＭＳをＣＤＭＡ２０００音声モードへと再構成する。ＳＭＳメッセージを受信するために、ＭＳは「ページレスポンス」メッセージを音声キャリアに送信する。
【０００６】
ＳＭＳメッセージの受信後、ＭＳは、データ・モードに切り替えなおしてデータ・セッションを完了させなければならない。そのような往復切り替えを完了するには、ＭＳがＣＤＭＡ２０００音声モードにある間、データ・モード・セッションを存続させておくために、ネットワークにおいて広範囲な処理を必要とする。
【発明の開示】
【課題を解決するための手段】
【０００７】
（発明の概要）
ＣＤＭＡ２０００のような、音声サービスとデータ・サービスの双方を提供するネットワーク内で、データ・モードにおいてＭＳにショート・メッセージ・サービス（ＳＭＳ）のメッセージを配信するシステムおよび方法が開示される。データ・セッションの間、受信されるＳＭＳメッセージは、インターネット・プロトコル（ＩＰ）パケットへとカプセル化されて電子メール（ｅメール）メッセージとしてＭＳへと経路付けられる。一つの実施例において、ＳＭＳメッセージが、ＭＳを受け持つ移動通信交換局（ＭＳＣ）で受信されるとき、ＭＳＣは、ＭＳがデータ・モードであるか否かを判定する。そうであるならば、ＭＳＣは、ＳＭＳメッセージをｅメール・メッセージへと変換し、そのｅメール・メッセージを、ＭＳを受け持つパケット・データ・サービス・ノード（ＰＤＳＮ）を介してＭＳへと経路付ける。
【０００８】
代わりの実施例においては、ＭＳＣは、ＳＭＳメッセージを、ＭＳを受け持つ基地局コントローラ（ＢＳＣ）へと経路付ける。ＢＳＣは、ＳＭＳメッセージをｅメール・メッセージへと変換し、そのｅメール・メッセージをＰＤＳＮを介してＭＳへと送信する。更なる代わりの実施例においては、ＢＳＣは、そのｅメール・メッセージを、ＰＤＳＮを通して経路付けせずにｅメール・メッセージを直接ＭＳへと経路付けする。
【０００９】
好都合にも、本発明の実施例は、データ・ネットワークと音声ネットワークとの間で信号送信を最小限にし、ＭＳのバッテリー寿命を向上させ、不必要なパケット・データ・セッション損を回避し、そして音声サービスとの継ぎ目のない相互動作によってデータ・サービスの顧客認知を向上する。
【００１０】
（代表的な実施例の詳細な説明）
本願の革新的な教示を、とりわけ代表的な実施例を参照して多数記述する。しかしながら、この部類の実施例によっては、ここでの革新的な教示を好都合に使用する多くのもののうち、ほんの２、３の例しか提供されないことを理解すべきである。一般に、本願の明細書においてなされた記述は、必ずしも、特許請求の範囲に記載された種々の発明のいずれの範囲をも定めるものではない。更には、記述によっては、ある発明の特長にのみ適用され、他には適用されないものもある。
【００１１】
ＣＤＭＡ２０００ネットワーク１００が、図１に示されている。符号分割多重アクセス（ＣＤＭＡ）システムにおいては、各々が音声またはデータ情報の信号送信を含む多重通信信号が、電磁スペクトラムの一部内で一緒に送信される。各通信信号は、送信ノードで独自に符号化されており、そしてチャンネルがこの独自の符号によって定義されている。受信ノードは、その独自に符号化された通信信号を復号して通信信号に含まれる情報を回復する。
【００１２】
送信ノードおよび受信ノードには、基地局コントローラ（ＢＳＣ）１２０とＡＴ１４０とＭＳ１４５とが含まれている。ＢＳＣ１２０は、適当なダウンリンクのチャンネルで情報を符号化し、そしてその符号化された情報を一つ以上の基地局１２５を介してＡＴ１４０またはＭＳ１４５へと送信する。ＡＴ１４０またはＭＳ１４５は、ＡＴ１４０またはＭＳ１４５と関連するアップリンクのチャンネルで情報を符号化し、そしてこの符号化された情報は、ＡＴ１４０またはＭＳ１４５を受け持つ基地局１２５によって関連するＢＳＣ１２０に伝えられて復号される。
【００１３】
ＣＤＭＡ２０００ネットワーク１００によって、公衆交換電話網（ＰＳＴＮ）２００とＣＤＭＡ２０００ネットワーク１００との間で経路付けを行う通話のような伝統的な音声サービスが提供される。特定のＭＳ１４５への着信は、そのＭＳ１４５について経路付け情報を蓄積するホーム・ロケーション・レジスタ（ＨＬＲ）１７０にアクセスすることによって、ＭＳ１４５を受け持つ移動通信交換局（ＭＳＣ）１１０へと経路付けられる。続いてＭＳＣ１１０は、そのＭＳ１４５への着信を、Ａ１／Ａ２／Ａ５インターフェースを超えてＭＳ１４５を受け持つＤＳＣ１２０へと経路付けする。
【００１４】
ＭＳＣ１１０は、通話設定、経路付け、通話の制御および終結について責任があるということを理解すべきである。ＭＳＣ１１０はまた、２つのＢＳＣ１２０の間のハンドオーバーを取り扱い、かつ補填される加入者サービスを取り扱うのにも責任がある。ＢＳＣ１２０は、基地局１２５の操作、メンテナンスおよび運営、音声符号化、レート調節および無線源の取り扱いにも責任がある。基地局１２５によって、ＡＴ１４０またはＭＳ１４５とネットワーク１００との間のＲＦインターフェース（ここでは、キャリア１３０または１３５として言及される）が１つ以上のトランシーバを介して提供される。各キャリア１３０または１３５は、１つのセルまたはセクターを受け持つ。ＢＳＣ１２０は、別のノードであるかまたは１つ以上の基地局１２５と場所を共同使用するということを更に理解すべきである。
【００１５】
音声サービスに加え、ＣＤＭＡ２０００ネットワーク１００によって、高データレート（例えば、ユーザー当たり２Ｍｂｐｓまで）および高スループットを備えるパケット・データ・サービスが提供される。データ専用（ＤＯ）移動端末（ここでは、アクセス端末（ＡＴ）として言及される）１４０は、ＤＯキャリア１３０と接続することができてデータ・セッションに関与する。そのデータ・セッションの間、データ・パケットが、ＡＴ１４０とインターネット２５０との間でＤＯキャリア１３０、ＢＳＣ１２０およびパケット・データ・サービス・ノード（ＰＤＳＮ）１６０を介して送信される。ＰＤＳＮ１６０は、ＡＴ１４０とインターネット２５０との間の全てのデータ・パケットの経路付けに責任があり、Ａ１０／Ａ１１インターフェースを介して１つ以上のＢＳＣ１２０に接続する。特定のＡＴ１４０についてＢＳＣ１２０で受信される情報は独自に符号化され、Ａｂｉｓインターフェースを介してＡＴ１４０を受け持つＤＯキャリア１３０に送信される。
【００１６】
ＣＤＭＡ２０００ネットワーク１００によってまた、二重モード移動端末（ここでは移動局（ＭＳ）として言及される）１４５のためのデータ・モードと音声モードとの間の相互動作が提供される。したがって、データ・モードと音声モードとの間での切り替えのために、ＭＳ１４５が、ＢＳＣ領域１５０内でＤＯキャリア１３０から音声キャリア１３５へのハンドオフを行うことだけが必要である。ＤＯキャリア１３０とのデータ・セッションに関係している一方で、ＭＳ１４５は更に、ＭＳ１４５に着信音声サービス（例えば、着信音声通話または着信ショート・メッセージ・サービス（ＳＭＳ）のメッセージ）を知らせる、ＭＳ１４５への着信ページのための音声キャリア１３５をモニタすることができる。
【００１７】
従来のＣＤＭＡ２０００アーキテクチャにおいては、ＭＳ１４５がデータ・セッションの間にＳＭＳメッセージを受信すると、そのＭＳ１４５は、そのＳＭＳメッセージを受信するために、そのデータ・セッションを放棄してＢＳＣ領域１２０内で音声キャリア１３５に接続しなければならない。本発明の実施例によると、ＭＳ１４５にページを送ってＭＳ１４５にデータ・セッションを放棄することを強制する代わりに、ＳＭＳメッセージをインターネット・プロトコル（ＩＰ）パケットへとカプセル化して、データ・セッションを中断することなく、電子メール（ｅメール）メッセージとしてＭＳ１４５へと経路付けることができる。
【実施例１】
【００１８】
１つの実施例において、図２に示されるように、ＭＳ１４５がデータ・セッションのためにＤＯキャリア１３０に接続するとき、ＭＳ１４５は、フィーチャー・コード１１８をＭＳＣ１１０に送信して、ＭＳ１４５が現在ＤＯモードにあることを指示する。ＭＳＣ１１０は、このフィーチャー・コード１１８を、ＭＳＣ１１０と関連するビジター・ロケーション・レジスタ（ＶＬＲ）１１５内のＭＳ１４５と関連する加入者記録内に蓄積する。ＶＬＲ１１５は、スタンドアローン・ノードであるか、ＭＳＣ１１０と場所を共同使用していることが理解される。更には、フィーチャー・コード１１８は、ＭＳ１４５が現在データ・セッションに関係しているか否かをＭＳＣ１１０がいかに知るかの１つの例に過ぎないことが理解される。ＭＳ１４５が現在データ・モードにあることをＭＳＣ１１０が知らされる方法はその他にも数多く存在する。
【００１９】
ＳＭＳメッセージ１９０は全て、テキスト・メッセージに対して蓄積および転送局として働く、ショート・メッセージ通信局（ＳＭＳ−Ｃ）１８０を通って経路付けられる。ＳＭＳ−Ｃ１８０は、ＳＭＳメッセージ１９０をＭＳ１４５に配信するために、ＳＭＳメッセージ１９０を適当なＭＳＣ１１０に経路付ける。ＭＳＣ１１０がＭＳ１４５のためにＳＭＳメッセージ１９０を受信するとき、そのＭＳＣ１１０は、ＤＯフィーチャー・コード１１８についてＶＬＲ１１５におけるＭＳ１４５の加入者記録をチェックして、ＭＳ１４５が現在ＤＯモードにあるか否かを判定する。
【００２０】
ＭＳ１４５が（フィーチャー・コード１１８によって指示されるように）ＤＯモードにあるならば、ＭＳＣ１１０内の変換ロジック１１２が、ＳＭＳヘッダーをＳＭＳメッセージ１９０から取り除くことによってＳＭＳメッセージ１９０をｅメール・メッセージ１９５へと変換し、テキストをＩＰパケットへとカプセル化してそのＩＰパケットをＭＳ１４５のＩＰアドレスを用いてＭＳ１４５へと経路付ける。典型的にはＩＰアドレスは、シンプル・メール・トランスファー・プロトコル（ＳＭＴＰ）またはＭＳ１４５のインターネット・メール（ｅメール）アドレスの形にある。例えば、ｅメール・アドレスは、ＭＳ１４５のインターネット・サービス・プロバイダ（ＩＳＰ）でのＭＳ１４５の国際移動性加入者識別（ＩＭＳＩ）（すなわち、ＩＭＳＩ＠ＩＳＰ．ｃｏｍ）である。ＩＭＳＩは、ＭＳ１４５の独自の加入者番号であって、ＭＳ１４５と関連するダイヤル可能な番号ではないことが理解される。ＩＭＳＩは、ＣＤＭＡ２０００ネットワーク１００内で信号を送信する目的で用いられ、モバイル・カントリー・コード（ＭＣＣ）、モバイル・ネットワーク・コード（ＭＮＣ）および移動加入者識別番号（ＭＳＩＮ）からなる。ＩＭＳＴは最長１５デジットである。
【００２１】
ＩＰパケットは、トランスミッション・コントロール・プロトコル（ＴＣＰ）／インターネット・プロトコル（ＩＰ）を用いてＰＤＳＮ１６０、ＢＳＣ１２０およびＭＳ１４５を受け持つＤＯキャリア１３０を介してＭＳ１４５に経路付けられる。データ・サービスのために、ＰＤＳＮ１６０は（ＭＳＣ／ＶＬＲ・１１０／１１５の代わりに）ＭＳ１４５のセクターＩＤ（またはセルＩＤ）を蓄積する。セクターＩＤは、ｅメール・メッセージ１９５を経路付けるための特定のＤＯキャリア１３０と、ＤＯキャリア１３０がｅメール・メッセージ１９５を放送すべきセクターとを特定することが理解される。セクターＩＤは、ＰＤＳＮ１６０内のパケット・コントロール・ファンクション（ＰＣＦ）１６５に保持される。したがって、ＭＳＣ１１０がＳＭＳメッセージ１９０を受信するとき、ＭＳＣ１１０は、ｅメール・メッセージ１９５を経路付けるためのセクターＩＤのことを知らない。それ故、ＭＳＣ１１０は、ｅメール・メッセージをＰＤＳＮ１６０に送信してＭＳ１４５のためのセクターＩＤを得なければならない。
【００２２】
ＭＳ１４５は、ＩＰパケットをＭＳ１４５の受信箱にｅメール・メッセージ１９５として受信する。ｅメール・メッセージ１９５は、パケット・データ・ストリームの一部として受信でき、または新しいタイプのｅメール・ストリームの一部として受信される。ＳＭＳメッセージ１９０は、ｅメール・メッセージ１９５として受信されるので、ＭＳ１４５は、ＳＭＳメッセージ１９０のテキストを受信できるように進行中のデータ・セッションを離れる必要はない。好都合にも、進行中のデータ・セッションの間にＳＭＳメッセージ１９０を受信することで、音声ネットワークおよびデータ・ネットワーク双方への信号送信を最小限化し、ＭＳ１４５のバッテリー寿命をセーブし、不必要なパケット・データ・セッション損を回避し、かつ継ぎ目のない相互動作によってデータ・サービスの顧客認知を向上する。
【００２３】
ここで、図３を参照すると、図２の実施例によるＳＭＳメッセージを経路付けるステップが示されている。ＳＭＳ−ＣがＣＤＭＡ２０００ネットワーク内でＭＳについてＳＭＳメッセージを受信するとき（ステップ３００）、ＳＭＳ−Ｃは、そのＳＭＳメッセージをそのＭＳを受け持つＭＳＣへと経路付ける（ステップ３１０）。ＭＳの加入者記録にＤＯフィーチャー・コードが存在するならば（ステップ３２０）、ＭＳＣは、前述のとおり、ＳＭＳメッセージをｅメール・メッセージへと変換する（ステップ３３０）。その後ＭＳＣは、そのｅメール・メッセージをＰＤＳＮへと経路付け（ステップ３４０）、それは続いてそのｅメール・メッセージをＢＳＣへと経路付け（ステップ３５０）、そのｅメール・メッセージをＭＳに配信する（ステップ３６０）。しかしながら、ＤＯフィーチャー・コードがＭＳの加入者記録に存在しないならば（ステップ３２０）、ＭＳＣは、従来行われていたように、ＳＭＳメッセージをＭＳへと経路付ける（ステップ３７０）（すなわち、ＳＭＳメッセージはＢＳＣへと経路付けられ、それは、ＳＭＳメッセージを音声キャリアへと転送し、ＳＭＳメッセージを、エア・インターフェースを介してＭＳへと送信する）。
【実施例２】
【００２４】
別の実施例においては、図４に示されるように、ＢＳＣ１２０がＳＭＳメッセージ１９０をｅメール・メッセージ１９５へと変換する。ＢＳＣ１２０がその変換を行うために、ＢＳＣ１２０は、ＭＳ１４５がデータ・セッションを始めるときに、ＭＳ１４５によって送信されるＤＯフィーチャー・コード１１８を蓄積しなければならない。それ故、ＳＭＳメッセージ１９０がＢＳＣ１２０に到達するとき、ＢＳＣは、ＭＳ１４５が現在データ・セッションに関係しているか否かをチェックし、もしそうであるならば、ＢＳＣ１２０内の変換ロジック１１２が、ＳＭＳメッセージ１９０をｅメール・メッセージ１９５へと変換する。ｅメール・メッセージ１９５をＭＳ１４５に配信するために、ＢＳＣ１２０が、ｅメール・メッセージ１９５をＰＤＳＮ１６０へと送信し、それは、そのｅメール・メッセージを、前述のように、ＢＳＣ１２０およびＤＯキャリア１３０を介してＭＳ１４５へと経路付ける。
【００２５】
ここで、図５を参照すると、それには、図４に示される実施例によってＳＭＳメッセージをＭＳに送信するステップが列挙されている。ＳＭＳ−ＣがＳＭＳメッセージを受信するとき（ステップ５００）、ＳＭＳ−Ｃは、ＳＭＳメッセージをＭＳＣへと経路付ける（ステップ５１０）。ＭＳＣは、ＭＳを受け持つＢＳＣを判定し、そしてＳＭＳメッセージをそのＢＳＣへと経路付ける（ステップ５２０）。データ・セッションを開始する際にＭＳによって送信されるＤＯフィーチャー・コードをＢＳＣが蓄積するので、ＢＳＣは、ＭＳが現在データ・セッションに関係しているか否かについて判定を行う（ステップ５３０）。
【００２６】
そうであるならば、ＢＳＣは、ＳＭＳメッセージをｅメール・メッセージへと変換し（ステップ５４０）、そのｅメール・メッセージをＰＤＳＮへと送信する（ステップ５５０）。その後、ＰＤＳＮは、ＭＳについての適切な経路付け情報で、ｅメール・メッセージがＢＳＣに戻るように経路付ける（ステップ５６０）。続いてＢＳＣは、ＤＯキャリアを介してＳＭＳメッセージをＭＳへと配信する（ステップ５７０）。ＢＳＣがＭＳからＤＯフィーチャー・コードを受信していないならば（ステップ５３０）、ＢＳＣは、従来行われていたようにＳＭＳメッセージをＭＳへと経路付ける（ステップ５８０）。
【００２７】
図４および図５の実施例において、ＢＳＣは、ｅメール・メッセージをＰＤＳＮへと送信してｅメール・メッセージをＭＴへと配信する。前述のとおり、データ・サービスのために、ＰＤＳＮは（ＭＳＣ／ＶＬＲの代わりに）、ＰＤＳＮのパケット・コントロール・ファンクション（ＰＣＦ）内にＭＳのセクターＩＤ（またはセルＩＤ）を蓄積する。したがって、図４および図５において、ＢＳＣがＳＭＳメッセージを受信するとき、ＢＳＣは、ｅメール・メッセージをＰＤＳＮに送信してＭＳのセクターＩＤを得なければならない。
【実施例３】
【００２８】
更なる代わりの実施例において、図６に示されるように、ＰＣＦ１６５を、（図４に示される）ＰＤＳＮ１６０の代わりにＢＳＣ１２０内に含ませることができる。したがって、ＢＳＣ１２０が、ＳＭＳメッセージ１９０を受信して（例えば、ＤＯフィーチャー・コード１１８をチェックすることによって）、ＭＳ１４５がデータ・セッションに関係していると判定するとき、ＢＳＣ１２０は、変換ロジック１１２を用いて、ＳＭＳメッセージ１９０をｅメール・メッセージ１９５へと変換し、そしてｅメール・メッセージ１９５を、ＰＣＦ１６５を用いて、ＤＯキャリア１３０を介して直接ＭＳ１４５へと経路付けることができる。
【００２９】
ここで、図７を参照すると、それには、図６に示される実施例によってｅメール・メッセージをＭＳに配信するステップが列挙されている。ＳＭＳ−Ｃが、ＭＳのためにＳＭＳメッセージを受信するとき（ステップ７００）、ＳＭＳ−Ｃは、ＳＭＳメッセージをＭＳＣへと経路付ける（ステップ７１０）。ＭＳＣは、受け持ちのＢＳＣを判定し、そしてＳＭＳメッセージをそのＢＳＣへと経路付ける（ステップ７２０）。ＢＳＣがＳＭＳメッセージを受信するとき、ＢＳＣは、以前ＭＳがＤＯフィーチャー・コードを送信したか否かを判定し（ステップ７３０）、そしてもしそうであるならば、ＳＭＳメッセージをｅメール・メッセージへと変換する（ステップ７４０）。
【００３０】
ｅメール・メッセージをＭＳへと経路付けるために、ＢＳＣは、ＢＳＣ内でＰＣＦにアクセスして、ＭＳのための経路付け情報（例えば、ＭＳが現在配置されているセクターのセクターＩＤ）を判定する（ステップ７５０）。このセクターＩＤを用いて、ＢＳＣは、ｅメール・メッセージを適当なＤＯキャリアへと経路付け、それはｅメール・メッセージを符号化して、ｅメール・メッセージをＭＳが配置されているセクターのＭＳへと放送する（ステップ７６０）。
【００３１】
ショート・メッセージ・サービスによって、ＳＭＳ送信者が、特定のＳＭＳメッセージの配信が無事であったか不成功であったかに関する通知を要求することが可能となる。ＣＤＭＡ２０００ネットワーク内でこの機能性を実現するためには、ＳＭＳメッセージが無事に受信された際に、ＭＳがＳＭＳ−Ｃに応答することができなければならない。
【００３２】
ここで、図８に列挙されるステップを参照すると、図２乃至図７と関連して前述されたとおり、ＳＭＳ−Ｃが、ＤＯモードでＭＳのためのＳＭＳメッセージを受信するとき（ステップ８００）、ＳＭＳ−Ｃは、ＳＭＳメッセージをＭＳＣに転送し（ステップ８１０）、それは、ＳＭＳメッセージをｅメール・メッセージに変換する（ステップ８２０）かまたは、ＳＭＳメッセージをＢＳＣに転送する（ステップ８３０）かして変換を行う（ステップ８４０）。いずれの場合にも、ＳＭＳメッセージがｅメール・メッセージに変換されるとき、ＭＳＣまたはＢＳＣは、ｅメール・メッセージがＭＳに送信される（ステップ８６０）前に受信された指示子で、ｅメール・メッセージにタグを付けなければならない（ステップ８５０）。
【００３３】
一旦ｅメールが開かれると（ステップ８７０）、受信された指示子は自動的に応答ｅメールを生成して元の送信者に送信し、ｅメールが読まれていることを指示する（ステップ８８０）。したがって、ＭＳＣまたはＢＳＣがｅメール・メッセージをＭＳに送信し、かつＭＳがｅメール・メッセージを開けるとき、受信された指示子によって、ＭＳは応答ｅメール・メッセージを生成してＭＳＣまたはＢＳＣにそれぞれ送信する。応答メッセージを受信すると、ＭＳＣまたはＢＳＣは、配信通知メッセージをＳＭＳ−Ｃに送信し、ＳＭＳメッセージが無事に配信されていることを指示する（ステップ８９０）。
【００３４】
ここに記述されている代表的な実施例は、音声サービスとデータ・サービスの双方を供給することができるいかなるネットワークにも適用されることに注意する。ＣＤＭＡ２０００ネットワークは、そのようなネットワークの一例として上記に用いられているに過ぎない。
【００３５】
当業者であれば認めるであろうが、本願に記述される革新的な概念は、広範囲に渡るアプリケーションで変更および改変することができる。したがって、特許される主体の範囲は、記述されている、特定の、代表的な教示のいずれかに制限されるべきではなく、そうではなくて、特許請求の範囲によって定義される。
【図面の簡単な説明】
【００３６】
開示される発明は、添付した図面を参照して記述され、それら図面には発明の重要なサンプルの実施例が示されており、それらは、参照することによってこの明細書に一体化される。
【図１】ＣＤＭＡ２０００ネットワークを例示するブロック図である。
【図２】ＣＤＭＡ２０００ネットワーク内でデータ・モードにおいてショート・メッセージ・サービス（ＳＭＳ）のメッセージをＭＳに配信する、一つの実施例を例示するブロック図である。
【図３】図２に示される実施例によるＳＭＳメッセージの配信を行うステップを例示するフローチャートである。
【図４】ＣＤＭＡ２０００ネットワーク内でデータ・モードにおいてＳＭＳメッセージをＭＳに配信する、代わりの実施例を例示するブロック図である。
【図５】図４に示される実施例によるＳＭＳメッセージの配信を行うステップを例示するフローチャートである。
【図６】ＣＤＭＡ２０００ネットワーク内でデータ・モードにおいてＳＭＳメッセージをＭＳに配信する、更なる代わりの実施例を例示するブロック図である。
【図７】図６に示される実施例によるＳＭＳメッセージの配信を行うステップを例示するフローチャートである。
【図８】ＭＳがＳＭＳメッセージを受信すると配信通知メッセージを返信するステップを例示するフローチャートである。
【図１】
2005520368.tif 000003
【図２】
2005520368.tif 000004
【図３】
2005520368.tif 000005
【図４】
2005520368.tif 000006
【図５】
2005520368.tif 000007
【図６】
2005520368.tif 000008
【図７】
2005520368.tif 000009
【図８】
2005520368.tif 000010
【国際調査報告】
2005520368.tif 000011
2005520368.tif 000012